(57)【特許請求の範囲】
【請求項１】
先端部（２８）から分岐（２６）にまで延びる管腔を画定する移植片材料（３８）及び該移植片材料の先端部（２８）に隣接する先端部分（３０）の外面に取り付けられた少なくとも１つのステント（４０）を有する主ステント移植片本体（１２）であって、前記先端部分（３０）の内面にはステントが設けられておらず、前記移植片本体が前記分岐（２６）のところから各末端部にまで延在し、かつ、各管腔を画定する、同側性脚部分（２２）と対側性部分（２４）とを更に有する主ステント移植片本体（１２）と、
先端部（４６）から末端部（４８）にまで延びる管腔を画定する移植片材料（３８）、該移植片材料の先端部から先端方向で延出する取付ステント（５０）、該移植片材料（３８）の末端部（４８）に隣接した末端部分（４４）の内面に取り付けられた自己拡張性のステント（４０）を有する取付管（１４）であって、前記末端部分（４４）の外面にはステントが設けられていない取付管（１４）と、
を有する血管内ステント移植片であって、
前記取付管（１４）の前記移植片材料（３８）の前記末端部分（４４）は、前記主ステント移植片本体（１２）の前記移植片材料（３８）の前記先端部（２８）から該主ステント移植片本体の前記移植片材料（３８）の前記管腔内部に挿入するようになされ、展開されたときに、該取付管の前記移植片材料（３８）の前記末端部分（４４）の外面が、前記主ステント移植片本体の前記移植片材料（３８）の先端部分（３０）の内面に直接接触して該内面に摩擦係合されるようにされ、それにより前記取付管（１４）が前記主ステント移植片本体に固定されるようにされ、
当該血管内ステント移植片が、更に、先端部分（６０）と末端部分（６２）を有する移植片内管（１８）を有し、前記移植片内管は、主ステント移植片本体（１２）の管腔内から前記取付管（１４）の管腔内に先端方向に延在するように配置され、前記取付管（１４）と主ステント移植片本体（１２）との重複領域（６４）の内側に該重複領域をまたがって延在して、該重複領域を内側から押圧して支持する、ことを特徴とする血管内ステント移植片。
【請求項２】
前記主ステント移植片本体（１２）は前記分岐（２６）と先端部（２８）までの距離を有し、該距離は動脈瘤（７０）の全長距離よりも短く、前記取付ステント（５０）は最初のうちは主ステント移植片本体（１２）から分離している前記取付管（１４）の前記移植片材料（３８）に添着され、そして、前記取付管の前記移植片材料（３８）の先端部（４６）から先端方向に延出している、ことを特徴とする請求項１に記載の血管内ステント移植片。
【請求項３】
前記取付管（１４）は、展開されたときに、前記拡張性のステント（４０）の弾発力により生じる該取付管（１４）の前記移植片材料（３８）の前記末端部分（４４）の前記主ステント移植片本体（１２）の拡張された前記移植片材料（３８）の先端部分（３０）に対する半径方向外方への押圧による摩擦嵌合により、前記主ステント移植片本体（１２）に固定することができる、ことを特徴とする請求項１又は２に記載の血管内ステント移植片。
【請求項４】
前記移植片内管（１８）は、複数のステント（４０）を有し、該複数のステント（４０）の各々は少なくとも該移植片内管の末端部分（６２）と先端部分（６０）内に存在し、展開されたとき、主ステント移植片本体（１２）の拡張した前記移植片材料（３８）の先端部分（３０）及び前記取付管（１４）の拡張した前記移植片材料（３８）の末端部分（４４）に対して半径方向外方へ押圧する、ことを特徴とする請求項１乃至３の何れかに記載の血管内ステント移植片（１４）。
【請求項５】
対側性部分（２４）の末端部（３４）に固定されるための対側性脚延長部（１６）を更に有する、ことを特徴とする請求項１〜４の何れかに記載の血管内ステント移植片。
【発明の詳細な説明】
【０００１】
【発明の属する技術分野】
本発明は医療器具に関する。更に詳細には、本発明はステントを有する血管内器具に関する。
【０００２】
【従来の技術】
最近の動脈瘤の治療では、血管網内に据え付けられ、かつ、移植片材料に固着された１個以上のステントを有するステント移植片が使用される。ステント移植片は、差込器及びカテーテルを用いる血管内挿入術により治療部位に固定され、その後、ステント移植片は半径方向に拡張され、そして、血管壁に自己結合することにより適所に留まる。特に、ステント移植片は下向胸部及び腹部大動脈瘤を治療するのに使用され、ステント移植片の一方の端部は大動脈内に配置するための単一の管腔を画成し、そして、他方の端部は二叉に分けられ、枝動脈内に延在させるための二つの管腔を画成する。
【０００３】
このようなステント移植片の一例は特許文献１に記載されている。このステント移植片は、管腔を画成する生体適合性移植片材料（例えば、ダクロン（登録商標）又はポリテトラフルオロエチレン）のスリーブ又はチューブと、このスリーブ又はチューブに沿って固定された幾つかのステントを有する。このステント移植片は二本の腸骨動脈から大動脈に沿って基部方向に延在する動脈瘤に張り渡される。前記ＰＣＴ公報には、差込器アセンブリーを用いて患者体内にステント移植片を配備させる方法も記載されている。ステント移植片の単一管腔先端の移植片材料被覆部分は動脈瘤上の大動脈の壁を圧迫し、腎動脈に対する入口の末端である位置における動脈瘤をシールする。先端ステント伸張部分のワイヤ支柱は、腎動脈を閉塞することなく入口部分を横切り、それと共に、ステントが自己膨張したときに大動脈内の適当な箇所にステント移植片を固定する。なぜなら、先端ステントに沿って移植片材料が使用されておらず、伸張部分は、各腸骨動脈に沿って延在させるために、ステント移植片の脚部の一つに固着され、そして、場合により、伸張部分を両方の脚部に固着させることもできるからである。別の公知のステント移植片は、A. Cook Australia Pty.社（オーストラリア，ブリスベーン所在）により市販されているZenith AAAステント移植片である。
【０００４】
【特許文献１】
国際公開第ＷＯ９８／５３７６１号パンフレット
【０００５】
従来技術のステント移植片では、移植片固定は、逆棘により又は移植片により被覆されておらず、血管壁に組み込むことができるステント部分により先端部又は基部に固定することによりおこなわれる。末端部固定は枝動脈又は腸骨動脈内の摩擦により行われる。従来技術のステント移植片のステントは柔軟であり、かつ比較的軟質になりがちであった。基部の主管（メインチユーブ）は標準化された長さのものであり、その長さは動脈瘤自体の長さよりもかなり短くなりがちであり、一方、全長は架橋され、そして、小さな直径の伸張部又は脚により行われる。
【０００６】
【発明が解決しようとする課題】
従来技術のステント移植片の場合、或る種の後発的な悶着の種はよくあることであった。例えば、前記のような形状により、捩れ、管腔の閉塞に至る或る種の不安定性及び／又は可能な移植片外移植に至る崩壊が存在した。この場合、大抵、小さな直径のステント移植片部分内の大きな転置力により、ステント移植片はその企図された位置から望ましからざる位置に移動する。また、材料疲労も起こり、血流が動脈瘤内に流れ続ける内因性漏出に至る。
【０００７】
【課題を解決するための手段】
前記課題は本発明のステント移植片により解決される。本発明のステント移植片組立体は、一体的な同側性脚を有する主ステント移植片デバイス又は本体と、末端部における分岐を一緒に画成する対側性断端を有する。また、対側性伸張部を有し、更に、取付移植片管も有する。主ステント移植片本体及びその先端部における取付管は一緒に動脈瘤全体にまたがるが、主ステント移植片本体自体は、動脈瘤の径間よりも短い、その同側性脚から対側性断端まで先端方向に測定される長さを有するように選択される。主ステント移植片本体の先端部は、従来技術のステント移植片と異なり、血管壁に結合されない状態のままにされるが、取付管の先端部は、動脈瘤近位頸部における血管壁取付のための取付ステントを有する。この場合、取付管は動脈に対して完全に封止するが、腎動脈への自由な流れは許容することができる。更に、腎動脈に隣接した頂部から配置を始める従来技術のシステムと異なり、本発明の主移植片組立体は先ず、末端の分岐下部から組立始め、そして、動脈瘤の近位頸部における腎開口に対して末端から先端にまで延在する。
【０００８】
対側性断端が配送システムの鞘から放出される部分展開の後に、配送システムの鞘から同側性脚の展開前に、主ステント移植片本体の分岐は、腸骨動脈分岐における動脈血管壁に対して設置される。次いで、選択された長さの第２の又は取付移植片管は、主移植片本体を通して対側的に繰り出される。次いで、末端部分のかなりの長さが主ステント移植片本体の先端部内に残り、重複領域を画成するように取付管が展開され、そして、取付管の先端部から延在する取付ステントが展開され、腎動脈における動脈瘤の近位頸部における血管に取付けられる。重複領域は長さが２ｍｍ〜５ｍｍ程度の小さなものであることもできるが、少なくとも約２０ｍｍであることが好ましい。また、取付管のステントが完全に展開（膨張）されたら、取付移植片管の末端部分と主ステント移植片本体の先端部分との間で摩擦嵌合する。その後、対側性リムは適所に移動され、対側性断端に添着される。好ましくは、取付移植片管と対側性リムの両方とも、対側性動脈を介して、第２の二重鞘配送システム内に配送される。主ステント移植片本体の基部端におけるこのような重複二重管構造は一層強力であり、完全な展開後のステント移植片組立体の位置は外移植に対して一層安定である。
【０００９】
場合により、第３の又は移植片内管を主ステント移植片本体内に配置させることができ、主ステント移植片デバイスと取付移植片管との間の重複領域の下側にあって、この重複領域を超えて双方向に延在する。第３の移植片管は膨張し、取付移植片管と主ステント移植片本体との間の摩擦嵌合を画成し、そして、重複領域よりも大きな長さを有する。斯くして、取付移植片管と主ステント移植片本体との間の摩擦嵌合を強化する。このような第３の移植片管は、動脈瘤の形状が変化するような場合に使用され、腎動脈と分岐との間の間隔の二次的増加は、主ステント移植片本体から取付移植片管を部分的に引き、その結果、これらの間の重複領域を減少させがちである。このような移植片内管は後続手順の最中に容易に配置させることができる。
【００１０】
本発明は、（前記の取付管に対応する）第１の移植片部材にも関する。この第１の移植片部材は少なくとも一つの他の移植片部材（主移植片管）と併用されるべきものであり、また、血管壁に取付けるための取付ステントを有する取付領域と、少なくとも一つの他の移植片部材に取付けるための別の取付領域を画成する末端部分を有する。
【００１１】
本発明は、動脈瘤を治療するために、枝動脈が脈管に結合する分岐点で脈管内に血管内ステント移植片を配置する方法も包含する。この方法は、第１の枝血管内に第１の脚部分を有する血管壁に連結されていない動脈瘤内に分岐主ステント移植片本体を配置するステップと、第２の枝血管内の第２の脚部分を移動させるために、主ステント移植片本体の分岐を血管の分岐に対する取付位置に押しやるステップと、ステント移植片を血管壁に固定するステップとからなる。
【００１２】
更に、本発明は血管内器具用の配送システムにも関する。この配送システムは、(a)末端部と先端部を有し、かつ、先端部に少なくとも第１の膨張性デバイスを包含する第１の鞘と、(b)前記第１の鞘内を移動することができ、かつ、各末端部と各先端部を有する第２の鞘と、前記先端部は第１の膨張性デバイスを末端に閉じ込め、かつ、第２の膨張性デバイスを有し、(c)第１及び第２の鞘の末端部のところで露出される第１の先端制御プッシャーから第１及び第２の鞘内を延在する第１の膨張性デバイスに取付けられた第１のプッシャーと、(d)第１及び第２の鞘の末端部のところで露出される第２の末端制御プッシャーから第１及び第２の鞘内を延在する第１の膨張性デバイスに取付けられた第２のプッシャーとからなる。
【００１３】
【発明の実施の形態】
本発明のステント移植片組立体は、主ステント移植片本体又はデバイス１２と、第２の移植片本体又は取付管１４と、対側性リム拡張移植片１６とを有する。図１〜３は、血管内又は配送カテーテル内で拘束されていない場合の、本発明のステント移植片組立体が完全に拡張された状態の概要斜視図である。図４は、随意的であるが、好ましい追加部材である、移植片内管移植片本体１８の概要斜視図である。主ステント移植片本体１２は、主移植片部分２０と、同側性脚２２と、対側性リム又は断端２４とを有する。主移植片部分２０は、動脈瘤内に配設され、分岐２６から先端部分３０の先端部２８にまで延在し、比較的一定の直径Ｄを有する管腔を有する。直径Ｄは動脈の健康な部分の直径に近似し、一般的に、約２６ｍｍである。同側性脚２２は、同側性腸骨動脈に取付けられ、外方に向かって拡開された末端部又はカフス３２にまで延在する。対側性断端２４は対側性腸骨動脈に取付けられ、そして、分岐２６から末端部３４にまで短い距離を同じ長さだけ広がる。好ましくは、対側性断端２４の長さにわたって、明瞭な小さなギャップ３６だけ、同側性脚２２から離間されている。
【００１４】
主ステント移植片本体１２、取付管１４、対側性リム１６及び移植片内管１８は全て、移植片材料３８と複数の自己膨張性又は拡張性ステント４０からなる。この複数の自己膨張性ステント４０は、例えば、縫合糸により、移植片材料の外面又は内面の何れかに沿って、移植片材料に固定される。主ステント移植片本体１２の同側性リム２２のカフス３２のとことろで、ステントは移植片材料の内面に固定され、それと共に、先端部分３０に沿ったステントは移植片材料の外面に固定される。取付管１４の移植片材料の先端部分及び末端部分４２，４４に沿って、先端部４６及び末端部４８に隣接する各ステントは移植片材料の内面に固定される。取付ステント５０は、末端５４で接合されたように図示された支柱対５２を有する取付管１４の先端４６に固定される。支柱対５２は逆棘のようなもので、動脈の血管壁にロックすることができ、展開位置で解放されたときに血管壁に対して横方向に押圧するように分岐し、かつ、拡張し易いように、末端５２に向かってバネ偏向されるように形成されている。対側性リム１６の先端部分５６と末端部分５８はステント移植片材料の内面に沿って固定され、この場合、末端部分は同側性リム２２のカフス３０と同様なカフスであることが好ましい。移植片内管１８に関して、先端部分６０及び末端部分６２はステントを有する。このステントは、移植片材料の内面に沿って固定され、それと共に、１個以上又は図示されているような２個以上のステント４０を中間部分の外面に固定することもでき、あるいは、所望により、中間部分の内面に沿って固定することもできる。
【００１５】
主ステント移植片デバイス１２は、直径が約１２ｍｍで、分岐まで長さで約５０ｍｍ延在する主管腔を有する主移植片部分２０を有することが好ましい。同側性脚２２は直径が約１２ｍｍであり、拘束されていない場合、分岐２６から直径が約１６〜１８ｍｍの外方へ拡開した末端部又はカフス３２まで、長さ約８０ｍｍに沿って延在する。対側性断端２４は同側性脚に沿って共に延在し、約３５ｍｍの長さと約１２ｍｍの直径を有する。対側性断端の長さは同側性脚２２（ギャプ３６）から離間されていることが好ましい。これにより、主ステント移植片本体が部分的に展開された後に遠位から引いたとき、すなわち、対側性断端が配送鞘（図６参照）を出て、鞘が遠位から部分的に引かれたあとに鞘を出たステント４０が膨張した際に横方向に偏向された場合、腸骨動脈における血管の分岐に対して容易に嵌合し、着座させることができる。
【００１６】
取付管１４は、拘束されていない場合、直径が約２６ｍｍ、２８ｍｍ又は３０ｍｍあるいはこれ以上でなければならず、取付ステント５０が約１５ｍｍ露出されるか又はステント移植片材料の先端部４６を露出状態で超えるように、幾つかの選択された長さのうちの一つの長さを有することもできる。末端部分４４は主ステント移植片デバイス１２の先端部分３０により重複され、そして、先端部分３０内に長さで少なくとも約２０ｍｍ重複される。大抵の動脈瘤の場合、取付管の長さは先端部と末端部との間は約７０ｍｍであり、その重複部分の長さは少なくとも２０ｍｍである。大きな動脈瘤の場合、取付管の長さは約８５ｍｍであり、小さな動脈瘤の場合、取付管の長さは約５０ｍｍである。最長の可能な重複が主ステント移植片デバイスについて望ましい場合はいつでも、最長の取付管を使用しなければならない。
【００１７】
取付管１４は随意的な改変を加えることができる。例えば、(a)下部腎動脈、副腎動脈及び腸間膜血管又は短頸の両腎動脈のオーバーステンティング(overstenting)を斟酌して、側孔又はＵ字形穿孔を有することもできる、(b)曲がりくねった又は収縮頸或いはこれらの両方の良好な適合のためにステント間に大きなギャップを有することもできる。これらの場合、２段階トリガー機構が必要である。２段階トリガー機構は、回転的に又は長手方向的にその位置を訂正するために、管を管腔直径よりも小さな直径に拘束し続ける。
【００１８】
対側性管又は脚１６は、対側性断端２４に取付けられ、この脚１６は同側性脚２２とサイズ及び形状が類似しており、拘束されていないときの、主直径は約１２ｍｍであり、重複長さは約３５ｍｍであり、外方へ拡開された末端部までの長さが約５０ｍｍであり、かつ、外方へ拡開された末端部の直径は約１８〜２０ｍｍである。
【００１９】
移植片内管１８は取付管１４と類似しているが、ステント５０のような取付ステントは有しない。従って、拘束されていないときの直径は約２６〜３０ｍｍであり、全長は約５０〜８０ｍｍである。移植片内管１８の配置状態は図１０に図示されている。
【００２０】
図５〜図７は、本発明のステント移植片組立体の一般的な展開方法を説明するものである。腹部大動脈の動脈瘤（ＡＡＡ）の部位へのステント移植片組立体の配送は次のステップからなる。
1)制御性を維持するために同側性リム２２を第１の配送システム１００の鞘内に維持しながら、対側性断端２４が鞘１０２から解放されるまで、第１の配送システム１００から主ステント移植片管１２を動脈瘤７０内に配置し、部分的に展開させる（図５参照）。
2)ガイドワイヤ１２２を対側性腸骨動脈７６から対側性断端２４内に挿入し、そして、主ステント移植片１２を動脈瘤７０内の動脈７４の分岐７２に向かって引き、主ステント移植片本体１２の分岐２６のクロッチ（股）を分岐７２上に着座させ（図６及び図７参照）、対側性断端２４を対側性腸骨動脈７６に沿って延在させ、一方、同側性脚２２は同側性腸骨動脈７８に沿って延在させる。
3)血管の分岐７２及び主ステント移植片本体１２の先端部２８に関して、腎動脈８０，８２の位置を決定し、そして、主ステント移植片本体の先端部に取付けるために主ステント移植片本体にまで配送されるべき取付管１４の適当な長さを選択する。
4)第２のガイドワイヤ１２２に沿って対側性腸骨動脈７６を通して第２の配送システム１２０を血管内に導入する。
5)図７に示されるように、先ず、主ステント移植片本体１２の先端部分３０内に配送システム１２０の第１の鞘１２４から末端部分４４を解放し、次いで、導入器又は拡張器１２８から取付ステント５０を解放し、そして、膨張及び取付ステント５０による血管壁取付用の取付管をモデリングするためにバルーン１７０を膨張させる（図１３参照）ことにより、腎動脈の位置で取付管１４を展開させる。
6)第２の配送システム１２０の第２の鞘１７４（図１３参照）内から対側性脚１６を展開させ、これにより、その先端部を対側性断端２４内で膨張させ、（図７参照）、次いで、対側性腸骨動脈７６にカフス５８を完全に解放する。
7)第１の配送システム１００の鞘１０２を引き、次いで、ステント移植片組立体１０を完成させることにより、同側性腸骨動脈７８内に同側性脚２２を完全に展開させる。
8)血管形成術を完了するために配送システム１００及び１２０を除去する。
【００２１】
図８及び図９は一般的に、ステント移植片の据付後に血流から動脈瘤７０内のステント移植片に加わる力を図示している。特に、図８は、従来技術のステント移植片９０の応答を図示し、一方、図９は本発明のステント移植片１０の応答を図示する。動脈瘤内に展開されたステント移植片は大抵の場合、弓形の形状をとるように圧迫される。腎動脈のところの基部動脈瘤入口から腸骨動脈に向かう血流（図中の実線で示される矢線）は、分岐３６上に圧力を生じるばかりか、ステント移植片壁の凸状側面にも圧力を生じる。これは、小さな矢線で示されるように、凸状側壁を凸状方向へ更に押しやる傾向があり、その結果、動脈瘤に向かって移動するために２個の末端部のうちの少なくとも一つについて従来技術のステント移植片９０のステント移植片・血管壁取付に十分に応力を加えるステント移植片の先端部及び末端部上のステント移植片壁による引張りが生じる。本発明のステント移植片１０の場合、取付管と主ステント移植片本体１２との間の重複領域６４における摩擦噛合は、ステント移植片の先端部あるいは末端部のどちらも無理に移動されるようなこともなく、また、ステント移植片が外植されることもないように、応力に応答して漸進移動することができる。
【００２２】
移植片内管１８は配送システムにより後から展開させ、重複領域の下部に配置させ、重複領域を支持することができる。そのため、図９に示されるように、主ステント移植片管１２及び取付管１４の両方の中に、移植片内管１８は部分的に配置される。図１０はステント移植片の据付後に動脈瘤部位を長くすることを図示する。例えば、動脈瘤７０（仮想線）が、符号７０’により示されるように小さなサイズに徐々に収縮し、そして、動脈壁は結果的にその元の動脈瘤前の長さに概ね戻ることができる。本発明のステント移植片組立体１０は、重複領域６４における主ステント移植片１２に対する取付管１４の漸進移動を可能にすることによりこのような長くすることに応答する。図１０に示されるように、移植片内管１８はステント移植片組立体１０内に配設される。例えば、取付管１４と主ステント移植片１２との重複領域６４の下部に配置され、かつ、この重複領域６４を超えて延在し、また、仮想線で図示されているように、移植片内管１８の先端部６６と末端部６８が重複領域６４の両端部を超えて配置される。従って、移植片内管１８は、重複領域にまたがることによりステント移植片１０を支持し、そして、その自己膨張性ステントは、外方へ向かって膨張力を付与する。その結果、管１８の外面は、ステント移植片の連続性と一体性を確保しながら、取付管１４と主ステント移植片１２との間の漸進移動を可能にすることにより、取付管１４及び主ステント移植片１２の両方の内面に対して外方へ向かって押圧し、かつ、該内面に摩擦により噛合する。
【００２３】
図１１及び図１３を参照しながら、取付管１４（及び対側性リム１６）用の配送システム１２０を説明する。この配送システム１２０は、第１の（又は外側）鞘１２４と、トップキャップ１２６と、先端部１３０のところにテーパー付拡張器１２８と、配送システムの末端部のところに取付部品１３２とを有する。トップキャプ１２６は拡張器１２８の末端に固着されている。これは、配送システムの全体を貫いて末端部にまで延在する小直径内側カニューレ１３６の先端部に固着されている。取付部品１３２は第１の鞘１２４に固着されており、また、取付部品１３２の側面に結合されているのは注入システム１３８である。この注入システム１３８は展開前にステント移植片を抗凝結ヘパリンで飽和させ、また、場合により、飽和後に造影剤を注入するために使用される。取付部品１３２の末端部のところにはプッシャー１４２が貫通延在する逆止弁１４０が存在する。プッシャー１４２の末端寄りには、内側カニューレ１３６のハンドル１４４及びトリガーワイヤ制御システム１４６が存在する。
【００２４】
スタイレット１４８は、内側カニューレ１３６、プッシャー１４２、第１の鞘１２４及びトップキャプ１２６を貫通して先端チップ１５０にまで延在する。先端チップ１５０は、テーパー付拡張器１２８の先端部から突出している。スタイレット１４８は輸送中及び取扱中は保護バルブとして機能するが、医療処置で使用する前に取り除かれる。タブ１５２が短鞘１５４の末端部のところに配設されている。タブ１５２は医療処置前に鞘を剥離するのに使用される。鞘１５４は輸送中及び取扱中に逆止弁のところの導入管腔の開通性を保護し、取付部品１３２内にだけ延在する。取扱中に末端部の部品類を保護するために、保護管１５６がこれらの周囲に固定されており、この保護管も医療処置前に取り除かれる。
【００２５】
トリガーワイヤ制御システム１４６は、図１２に詳細に図示されている。配送システム１２０の２本のトリガーワイヤ１５８，１６０のための制御システム１４６はそれぞれ、横方向に取り除かれる安全ロック１６２と、内側カニューレ１３６と平行に（患者から離れて）遠位的に移動され、そして、組立体から各トリガーワイヤを引くリリースリング１６４を有する。解放されるまで軸方向の移動に対抗して取付管１４の取付ステント５０を固定するためのトリガーワイヤ１５８は、解放されるまで軸方向の移動に対抗して取付管の末端部分４４を固定するトリガーワイヤの制御を起動可能になる前に、最初に取り除かれる。また、末端部分のためのリリースリング１６４も、トリガーワイヤの特定の制御システムを起動する医者に明瞭に指示するために、取付ステントの色と異なる色に着色することもできる。リリースリング１６４は軸方向スロット１６６を有する。このスロットに沿って、内側カニューレ１３６の周囲から横方向に除去することができる。ピンバイス１６８は内側カニューレ１３６を締め付け、かつ、解放する。その結果、トップキャプ１２６及び拡張器１２８を展開させるために前進させることができ、かつ、ドッキングのために引っ込めたり、システムを引き抜いたりすることができる。
【００２６】
図１３及び図１４を参照する。取付管１４及び対側性脚１６の両方が第２の二重鞘配送システム１２０に装填されている。一方の集成装置では、第２の二重鞘配送システムは、拡張器に隣接して膨張バルーン１７０と、続いて、第１の又は外側鞘１２４内に取付管１４と、取付管のためのプッシャーと対側性脚１６とそのプッシャー１７２とを有し、これら全てが第２の又は内側鞘１７４内に収納されている。図１４に示される小さなサイズの第２の集成装置では、取付管１４は第１の鞘１２４内の末端チップに隣接しており、バルーン１７０、取付管プッシャー、対側性脚１７２及びそのプッシャー１７２は第２の鞘１７４内に収納されている。
【００２７】
主ステント管本体１２及び取付管１４の展開は図１５〜図１８に詳細に図示されている。図１５において、主ステント移植片本体１２は部分的に展開されているが、同側性脚２２は配送システム１００の鞘１０２内に依然として保持されている。先端部分３０は解放され、自己膨張している。第２の配送システム１２０は、第２のガイドワイヤ１２２に沿って先端部２８を超えて延在する拡張器１２８を有する対側性断端２４を貫通して挿入されている。
【００２８】
図１６において、取付管１４は第１の鞘１２４から部分的に展開されているが、取付ステント５０は、拡張器１２８のトップキャプ１２６の末端部内に依然として保持され、また、先端部４６はトップキャプ１２６により閉鎖され、一方、先端部分４２内のステントは、トリガーワイヤ１５８及び縫合１７６により閉鎖されたままの状態に維持されている。図１７において、取付管の末端部分４４は第１の鞘１２４から押し出され、主ステント本体１２の先端部分３０内に展開され、一方、取付ステント５０は拡張器１２８により拘束されたままの状態である。図１６は、トップキャプ１２６から解放され自己膨張した後の、取付ステント５０の支柱５２の端部５４を図示する。逆棘１７８は支柱５２に固着されており、完全に自己膨張したときに動脈の血管壁に結合する。
【００２９】
展開前に、取付ステント５０の先端部は、図１６及び図１７に示されるように、拡張器のトップキャプ１２６により閉鎖されたままの状態に維持され、従来から使用されている幾つかのステント移植片におけるように、適正に配置されたときに、取付管から引き抜かれる。または、好ましい態様として、国際公開第ＷＯ９８／５３７６１号パンフレットに記載されるように、患者の外部にある末端制御器で起動可能なトリガーワイヤ及び支柱により閉鎖されたままの状態に維持することもできる。図１９及び図２０に図示されるように、トリガーワイヤ１５８は配送システム内に延在する小直径内側カニューレ１３６内に配設されており、トップキャプ１２６内に先端リリース端１８０を有する。先端リリース端１８０は最初、取付ステント５０の結合支柱５２対のうちの一つの端部５４のところのループを通して延在し、小直径カニューレに対してステントループを保持する。接近位置に集合された取付ステント５０の先端部を最初は維持するために、支柱１７６はトリガーワイヤリリース端１８０から取付ステントの他の２つ以上のループにまで延在する。トリガーワイヤ制御器（図１２参照）が起動したら、ワイヤをステントループ及び支柱１７６から引き抜き、ステントの先端を自己膨張させる。末端部分４４のところにステントを固定するために、同様なトリガーワイヤシステムを使用することが好ましい。主ステント移植片本体の少なくとも先端部分３０を展開するために、このようなシステムは配送システム１００と共に使用することもできる。
【００３０】
図１８〜図２０において、トリガーワイヤ１５８が取付管１４の取付ステント５０と関連付けて詳細に図示されている。図１９は、トップキャプ１２６が露出支柱５２上に配置される前の取付ステント５０を図示する。この間、支柱は内側カニューレ付近に集合された支柱端部５４を保持する。トップキャプ１２が適所に配置されたら、支柱は取り除かれる。トリガーワイヤ１５８は、プッシャー１４２内の配送システム１２０の内側カニューレ１３６に沿ってその制御セクション１４６から延在し、リリース端１８０を有する。このリリース端１８０は、先端プッシャー体１８２の開口を通して外方へ、そして、取付管１４を通して前方へ、次いで、その先端部４２の付近の外方へ、更に、前方へ、かつ、支柱対の結合先端部５４におけるループを通して、かつ、トップキャプの小さな開口内に、そして、更に、拡張器内に延在し、拡張器内に装着された内側カニューレにより摩擦嵌合することによりこの中に保持される。トリガーワイヤ１５８のリリース端１８０は、トップキャプ内の取付ステントの露出支柱を保持し、トップキャプ及び拡張器に対する軸方向の移動に対抗して固定される。トップキャプ１２６は、取付管１４が破裂動脈瘤の部位にまで配送されたときに、トップキャプが動脈瘤頸部に正確に配置されるまで、取付ステント５０の露出支柱５２の全てを包囲する。
【００３１】
次いで、図１８及び図２０に示されるように、取付ステントの支柱が内部の保持され、かつ、トップキャプ１２６内に依然として拘束されながら、第１の鞘１２４を、取付部品１３２を手作業で動かすことにより、取付管１４に対して遠位から引っ張り、その後、トリガーワイヤ１５８をトップキャプから引っ張り、そして、カテーテルから完全に引き抜く。斯くして、取付ステント支柱のループを解放する。トリガーワイヤ１６０により、プッシャー１４２に対する軸方向の移動に対抗して、取付管を保持しながら、拡張器／トップキャプ／カニューレ組立体を、カニューレハンドル１４４上を前方に押しやることにより前方に（先端方向に）押しやり、取付ステント５０を解放し、その後、支柱５２の端部５４を外方へ向けて自己膨張させて血管壁に噛合させ、かつ、逆棘１７８を血管壁内に嵌め、その後、取付管１４をその所望位置に固定する。このようなトリガーワイヤシステムは国際公開第ＷＯ９８／５３７６１号パンフレットに記載されている。場合により、成形バルーンを使用し、血管壁に対して支柱を確実に押し付けかつ、逆棘を嵌めるために、自己膨張取付ステント５０内で膨張させることができる。
【００３２】
同様に、図２０に示されるように、摩擦により取付ステントと主本体を引きがちな、トップキャプ１２６が取付ステント５０から前方に駆り立てられるときの軸方向の移動に対抗して、第２のトリガーワイヤ１６０は取付管１４の末端部分４４を固定する。トリガーワイヤ１６０はリリース端１８４を有する。リリース端１８４は先ず、先端プッシャー体１８２から外方へ延在し、そして溝１８６に沿って、末端部分４４の移植片材料を通って内方へ延在し、かつ、ステント端部ループを通り、そして、先端プッシャー体内の開口内を通って延在し、次いで、内側カニューレ１３６に沿って前方に延在する。そこで、プッシャー１４２の先端チップにより圧力嵌め状態に維持される。その後、トリガーワイヤ１６０用の制御システム１４６が起動されると、トリガーワイヤ１６０は配送システムから引かれ、取付管１４の末端部分４４を解放し、次いで、動脈瘤内で血管壁に向かって完全に自己膨張する。
【００３３】
その後、先端プッシャー体１８２が、現に展開されている取付管１４を通して先端方向に押し出され、トップキャプ１２６の末端部に当接される。先端プッシャー体１８２の当接部分は、トップキャプの末端部の直径と同じ直径を有する。先端プッシャー体１８２の形状は図２０に示されている。拡張器／トップキャプ／カニューレ組立体が末端方向から引かれ、そして、次に、先端プッシャー体１８２が末端方向から移動されると、先端プッシャー体の末端部（図示されていない）のテーパー付表面は徐々に噛合し、そして、主本体のステントの任意の部分を半径方向外方へ偏向させ、現に展開されている取付管１４を通して末端方向に引かれたときに露出されているであろうトップキャプ末端部の噛合により生起するであろう引き抜き又は絡まりを防止する。先端プッシャー体１８２はその先端部に同様なテーパー付表面を有する。このテーパー付表面は、主本体を通して先端方向に押されてトップキャプ１２６に当接されると、ステントの任意の部分を外方へ向けて偏向させる。
【００３４】
オプションとして、主ステント移植片本体１２の対側性断端２４は、最初に閉鎖された部分に縫合することもでき、これにより、主ステント移植片本体は分岐２６に対して容易に引くことができる。図２１に示されるように、縫合１９０が、対側性断端の末端部３４の外面に沿って配設されたステント４０のループを通して延在し、そして、別のトリガーワイヤ１９２の駆動により位置決めされた後に、解放される。
【００３５】
【発明の効果】
本発明は下記のような効果を有する。
1)特定の動脈瘤部位に対する最適な現場適合のモジュール概念を有する。
2)主ステント移植片と共に取付管を併用すると、腹部大動脈動脈瘤の全長を満たし、その結果、ステント移植片が一層安定化する。
3)取付管は最大可能重複同一延長が可能であり、これにより、安定性が増大し、たとえ生地引裂が生じたとしても、形成された二重壁により一層の安全性が付与される。
4)重複同一延長は同時に、ステント移植片を自由に調整することを可能にする。ステント移植片組立体の頂部は、配置後、血流により下方へ引かれない。また、底部部分は動脈分岐に対して下方へ押し下げる。
5)移植片内管は、ステント移植片の一体性を更に確実にし、また、動脈瘤の長さの変化に応じて漸進的に調節する能力を一層確実にする。
【００３６】
第１世代及び第２世代ステント移植片の最大かつ最も精密なフォローアップの観察により、新たな概念が創出された。初めて、臨床経験に応じて移植片のデザインが大幅に改変され、移植片形状が変化し、複雑性が生じた。同時に、新たな概念は、広範囲に臨床的に試験されたステンレススチール、ニチノール又はダクロン（登録商標）織布などのような構成部品及び調和性の利点を認める。新たな概念は、最大数の文書類と臨床分析及び事後的な移植片挙動及び人体内変化の最も深遠な理解に基づく改法により、証明構成部品を使用する。
【００３７】
現在のシステムでは、向上された正確性と改善された長期間安全性は、表面切開を必要とする、対側性部位における大型の導入器システムを犠牲にする。本発明の長いテーパー付円錐頭先端によれば、対側性動脈は、第２の二重鞘配送システムの挿入のために穿刺することができ、その結果、動脈は、直接縫合中の圧締用の切開が殆ど不要である。パッキングスペースを画成する、膨張バルーンの完全な除去又は再配置により、導入器鞘を減少する試みを行うことができる。
【００３８】
織布及びステント材料は一層薄いものであることができる。管を重複させる新たな概念は、おそらく取付管及び内側管を低硬質で一層薄くすることができる。織布は将来、少なくとも内側管で、おそらく一層薄く、かつ、一層多孔質にすることができる。従って、新たな織布世代は絹を使用することなくこの位置で臨床的に試験することができる。引裂は第２の管を後から配置させることにより容易に修理することができる。
【図面の簡単な説明】
【図１】  主本体、同側性脚及び対側性断端を有する主ステント移植片デバイスの概要斜視図である。
【図２】  移植片材料を超えて露出された先端を有し、その長さを、動脈瘤の長さに応じて変化させることができる本発明の取付管の概要斜視図である。
【図３】  対側性断端へ固定するために使用され、かつ、外方へ拡開された末端部を有する対側性脚の概要斜視図である。
【図４】  主ステント移植片本体と取付管との重複領域を結びつけ、かつ支持するための、主ステント移植片本体と取付管の管腔内に配置される追加移植片内管の概要斜視図である。
【図５】  本発明のステント移植片集成装置を配送する一連のステップを説明する概要図であり、主ステント移植片デバイスが動脈瘤内に配置され、部分的に展開され、そして血管壁分岐上に取付られる状態を示す。
【図６】  本発明のステント移植片集成装置を配送する一連のステップを説明する概要図であり、主ステント移植片本体内に第２の二重鞘配送システムを導入する状態を示す。
【図７】  本発明のステント移植片集成装置を配送する一連のステップを説明する概要図であり、取付管の展開と対側性延伸を示す。
【図８】  動脈瘤内に配設された代表的な従来技術のステント移植片を有する動脈瘤の部分概要図である。
【図９】  動脈瘤内に配設された本発明のステント移植片を有する動脈瘤の部分概要図である。
【図１０】  その収縮中に動脈瘤が長くなるときに特に有用である、ステント移植片内の移植片内管の展開を示す部分概要図である。
【図１１】  配送システムの一例の斜視図である
【図１２】  図１１に示された主ステント移植片本体配送システム内に包含されるトリガーワイヤ制御器の一例を示す斜視図である。
【図１３】  取付管と、対側性脚及びこれらのための各プッシャーを含有する第２の二重鞘配送システムの一例の部分概要断面図である。
【図１４】  配送システム内の取付管の後に膨張バルーンがくる第２の二重鞘配送システムの別の例の部分概要断面図である。
【図１５】  主ステント移植片本体と取付管の一連の展開状態を示す部分概要斜視図である。
【図１６】  主ステント移植片本体と取付管の一連の展開状態を示す部分概要斜視図である。
【図１７】  主ステント移植片本体と取付管の一連の展開状態を示す部分概要斜視図である。
【図１８】  主ステント移植片本体と取付管の一連の展開状態を示す部分概要斜視図である。
【図１９】  展開前の取付ステントの保留を示す部分拡大斜視図である。
【図２０】  取付管の取付ステント用の、かつ、主ステント移植片本体の末端部分用のトリガーワイヤ収納配置状態を示す部分拡大斜視図である。
【図２１】  主ステント移植片本体の配置中に対側性断端を閉鎖状態に維持する状態を例証する、主ステント移植片本体の末端部分の部分拡大斜視図である。
【図１】
0005108999.tif 000002
【図２】
0005108999.tif 000003
【図３】
0005108999.tif 000004
【図４】
0005108999.tif 000005
【図５】
0005108999.tif 000006
【図６】
0005108999.tif 000007
【図７】
0005108999.tif 000008
【図８】
0005108999.tif 000009
【図９】
0005108999.tif 000010
【図１０】
0005108999.tif 000011
【図１１】
0005108999.tif 000012
【図１２】
0005108999.tif 000013
【図１３】
0005108999.tif 000014
【図１４】
0005108999.tif 000015
【図１５】
0005108999.tif 000016
【図１６】
0005108999.tif 000017
【図１７】
0005108999.tif 000018
【図１８】
0005108999.tif 000019
【図１９】
0005108999.tif 000020
【図２１】
0005108999.tif 000021
【図２０】
0005108999.tif 000022